(57)【要約】【課題】カーテン生地の状態に拘わらず、カーテンからずり落ちるようなことが無いようにし、束状に絞ったカーテンを窓の中央などに体裁よく配置できるようにする。【解決手段】中桟部２と、中桟部２の一端部から上方へ延出した第１縦繋ぎ部３と、中桟部２の一端部又は少なくとも他端部から下方へ延出した第２縦繋ぎ部４とを有し、第１及び第２の縦繋ぎ部３，４には中桟部２の上部及び下部にカーテン通し用の空間１２，１４を形成させた状態で空間１２，１４内を通るカーテン１０に係合可能なように張り出す第１、第２の係止部５，６が形成されて成るカーテン絞り留め具を開発した。【選択図】図１
2008302176.tif 000002
【特許請求の範囲】
【請求項１】
中桟部（２）と、この中桟部（２）の少なくともいずれか一端部から上方へ延出した第１縦繋ぎ部（３）と、中桟部（２）の少なくともいずれか一端部から下方へ延出した第２縦繋ぎ部（４）とを有し、第１及び第２の縦繋ぎ部（３，４）には中桟部（２）の上部及び下部にカーテン通し用の空間（１２，１４）を形成させた状態でこの空間（１２，１４）内を通るカーテン（１０）に係合可能なように張り出す第１、第２の係止部（５，６）が形成されていることを特徴とするカーテン絞り留め具。
【請求項２】
前記カーテン通し用の空間（１２，１４）が奥から入口へ近づくほど狭くなるように第１係止部（５）と中桟部（２）との上下間及び第２係止部（６）と中桟部（２）との上下間が非平行に形成されていることを特徴とする請求項１記載のカーテン絞り止め具。
【請求項３】
前記第１、第２の係止部（５，６）の先端部又はこれらの先端部に対向する中桟部（２）の端部の少なくとも一方に、前記カーテン通し用の空間（１２，１４）における入口を狭める向きへ突出する抜止突起（１３，１５）が設けられていることを特徴とする請求項１又は請求項２記載のカーテン絞り留め具。
【請求項４】
前記第１縦繋ぎ部（３）と第２縦繋ぎ部（４）とは、中桟部（２）の異なる側の端部から延出形成されていることを特徴とする請求項１乃至請求項３のいずれか１項に記載のカーテン絞り留め具。
【請求項５】
前記第１縦繋ぎ部（３）及び第２縦繋ぎ部（４）は、中桟部（２）の同じ側の端部から延出形成されていることを特徴とする請求項１乃至請求項３のいずれか１項に記載のカーテン絞り留め具。
【請求項６】
前記第１縦繋ぎ部（３）及び第２縦繋ぎ部（４）は、いずれも中桟部（２）の両端部から延出形成されていることを特徴とする請求項１乃至請求項３のいずれか１項に記載のカーテン絞り留め具。
【発明の詳細な説明】
【技術分野】
【０００１】
本発明は、カーテン絞り留め具に関するものである。
【背景技術】
【０００２】
カーテンを開いて束状に絞った状態に保持させるには、絞ったカーテンの高さ方向中間部に、細い帯状をしたバンドや紐、鎖などの所謂、カーテンタッセルを巻き付けるようにするのが普通である。しかし、巻き付けたカーテンタッセルの両端部を結び止めるのが面倒なため、多くの場合は窓枠などに固定したタッセルフックにカーテンタッセルの両端を引っ掛けるということをしていた。
ところで、束状に絞ったカーテンを窓などの中央などに体裁よく配置させる場合では、当然ながらカーテンタッセルの両端部をタッセルフックへ引っ掛けることはできないため、絞り強度を必要に応じて強めることができるようにしたカーテンタッセルが提案されている（例えば、特許文献１等参照）。
【０００３】
このカーテンタッセルは、合成樹脂でリング状に形成されたもので、リングの一部が欠けており、この欠けた部分の両端部に互いの係合離脱が自在となるフック部が形成されたものである。リングは内径を拡大する方向に弾性を有している。すなわちこのカーテンタッセルは、リングの欠けた部分で絞ったカーテンへの着脱を可能にすると共に、カーテンへ装着して内径を小さくさせるように両端部をオーバーラップさせてゆき、フック部同士で係合させるようにする。
【特許文献１】実開昭６２−３３３８４号公報
【発明の開示】
【発明が解決しようとする課題】
【０００４】
従来公知のリング状をしたカーテンタッセルでは、洗濯を繰り返すなどしてカーテン生地が痩せたり腰が無くなったりしてきたとき、或いは風や人等が接触したときに、カーテンからずり落ちてしまう、といった問題があった。そのため、窓枠などに取り付けたタッセルフックへカーテンタッセルを繋留させるということが必要となり、結果として、束状に絞ったカーテンを窓の中央などに体裁よく配置させることができないことがあった。
本発明は、上記事情に鑑みてなされたものであって、カーテン生地の状態に拘わらず、カーテンからずり落ちるようなことが無いものとして、束状に絞ったカーテンを窓の中央などに体裁よく配置させるようなことも、確実に行えるようにしたカーテン絞り留め具を提供することを目的とする。
【課題を解決するための手段】
【０００５】
前記目的を達成するために、本発明は次の手段を講じた。
即ち、本発明に係るカーテン絞り留め具では、中桟部と、この中桟部の少なくともいずれか一端部から上方へ延出した第１縦繋ぎ部と、中桟部の少なくともいずれか一端部から下方へ延出した第２縦繋ぎ部とを有し、第１及び第２の縦繋ぎ部には中桟部の上部及び下部にカーテン通し用の空間を形成させた状態でこの空間内を通るカーテンに係合可能なように張り出す第１、第２の係止部が形成されている。
具体的に言えば、第１縦繋ぎ部と第２縦繋ぎ部とは、中桟部における異なる側の端部から延出形成されたものとすることができる。例えば、この場合のカーテン絞り留め具全体を正面視すればＳ字状を呈したものとなる。
【０００６】
また第１縦繋ぎ部及び第２縦繋ぎ部は、中桟部の同じ側の端部から延出形成されたものとすることができる。例えば、この場合のカーテン絞り留め具全体を正面視すればΣ字状やＥ字状を呈したものとなる。
更に、第１縦繋ぎ部及び第２縦繋ぎ部は、いずれも中桟部の両端部から延出形成されている。例えば、この場合のカーテン絞り留め具全体を正面視すればＨ字状を呈したものとなる。
このような構成のカーテン絞り留め具であると、中桟部と第１縦繋ぎ部に形成された第１係止部との上下間、及び中桟部と第２縦繋ぎ部に形成された第２係止部との上下間の上下二箇所に、カーテン通し用の空間が形成される。
【０００７】
そのため、上部のカーテン通し用の空間から中桟部を介して下部のカーテン通し用の空間へと束状に絞ったカーテンを通すようにすると、カーテンは、カーテン絞り留め具の表裏面間を縫うようにして（蛇行状態になって）絡む状態となり、カーテン絞り留め具にはカーテンに対して滑止め効果が生ずる。従って、ずり落ちることがない。
そのため、洗濯を繰り返すなどしてカーテン生地が痩せたり腰が無くなったりしてきたとき、或いは風や人等と接触したときにも、カーテン絞り留め具がカーテンからずり落ちる、といった問題は解消されるので、束状に絞ったカーテンを窓などの中央などに体裁よく配置させることも、確実に行えるようになる。
【０００８】
またカーテン生地の厚薄によって装着が制限されることもないので、厚手のものはもとより、レース生地のような薄手のカーテン、自動車用カーテンなどにも使用可能となる。
カーテン通し用の空間が奥から入口へ近づくほど狭くなるように、第１係止部と中桟部との上下間及び第２係止部と中桟部との上下間は、非平行に形成するのが好適である。
このようにすることで、カーテン通し用の空間へ通したカーテンが意に反して抜け出てしまうようなことを防止できる。
第１、第２の係止部の先端部、又はこれらの先端部に対向する中桟部の端部の少なくとも一方に、カーテン通し用の空間の入口を狭める向きへ突出するように、抜止突起を設けるのが好適である。
【０００９】
このような抜止突起を設けることも、カーテン通し用の空間へ通したカーテンが意に反して抜け出てしまうようなことを防止できる点で有益である。
【発明の効果】
【００１０】
本発明に係るカーテン絞り留め具では、カーテン生地の状態に拘わらず、カーテンからずり落ちるようなことが無くなり、束状に絞ったカーテンを窓の中央などに体裁よく配置させるようなことも、確実に行えるようになる。
【発明を実施するための最良の形態】
【００１１】
以下、本発明の実施の形態を、図面に基づき説明する。
図１乃至図３は、本発明に係るカーテン絞り留め具１の第１実施形態を示している。このカーテン絞り留め具１は、中桟部２と第１縦繋ぎ部３と第２縦繋ぎ部４とを有している。また第１縦繋ぎ部３には第１係止部５が形成され、第２縦繋ぎ部４には第２係止部６が形成されている。
カーテン絞り留め具１は全体として樹脂で一体化されたものとなっており、中桟部２に対して第１縦繋ぎ部３を捻るようにしつつ第１係止部５を前後に湾曲させたり、第２縦繋ぎ部４を捻るようにしつつ第２係止部６を前後に湾曲させたりできる程度の、適度な可撓性を有している。この「適度な可撓性」は、束状に絞ったカーテン１０への装着を容易にさせるための一時的な変形と元の形状へ戻ろうとする弾力性とを備え、またカーテン１０への装着中にカーテン１０の揺れ等に追従した柔軟な変形性を発揮するようなもの（繰り返しの使用が可能なもの）を言う。
【００１２】
このような適度な可撓性を発揮させることを目安として、このカーテン絞り止め具１の形成材料（例えば塩ビ、ＰＰ、ＡＢＳ、ポリカーボネイトなど）や厚さ（例えば３〜５ｍｍなど）が決められている。なお、低コスト化や軽量化の意味でも、カーテン絞り止め具１を樹脂により一体化することは望ましいものとされる。
第１縦繋ぎ部３は、中桟部２の一端部（図３の左端）から上方へ延出する状態で形成されたものであり、第１係止部５はこの第１縦繋ぎ部３の上端部から中桟部２と並行する方向（但し、後述のように非平行である）へ張り出し形成されたものとなっている。
【００１３】
この第１係止部５により、中桟部２と第１係止部５との上下間にはカーテン通し用の空間１２が形成されている。またこの第１係止部５の先端部には、カーテン通し用の空間１２の入口を狭める向きへ突出するように、抜止突起１３が設けられている。
そのため上記空間１２内へ束状に絞ったカーテン１０を通すと、この第１係止部５はカーテン１０を横切る状態で係合するようになり、この係合した状態は抜止突起１３により邪魔されて抜け出し難くなる。
第２縦繋ぎ部４は、中桟部２の一端部（図３の右端）から下方へ延出する状態で形成されたものであり、第２係止部６はこの第２縦繋ぎ部４の下端部から中桟部２と並行する方向（但し、後述のように非平行である）へ張り出し形成されたものとなっている。
【００１４】
この第２係止部６により、中桟部２と第２係止部６との上下間にはカーテン通し用の空間１４が形成されている。またこの第２係止部６の先端部には、カーテン通し用の空間１４の入口を狭める向きへ突出するように、抜止突起１５が設けられている。
そのため上記空間１４内へ束状に絞ったカーテン１０を通すと、この第２係止部６はカーテン１０を横切る状態で係合するようになり、この係合した状態は抜止突起１５により邪魔されて抜け出し難くなる。
本第１実施形態のカーテン絞り留め具１は、上記のように第１縦繋ぎ部３と第２縦繋ぎ部４とが中桟部２における異なる側の端部から延出形成されているので、その結果として第１係止部５と第２係止部６とは逆向きとなり、全体を正面視すればＳ字状を呈したものとなっている。
【００１５】
第１係止部５と第２係止部６とは互いに平行したものであるが、これらに対して中桟部２は非平行に（斜めに傾斜して）形成されている。傾斜の方向は、カーテン通し用の空間１２や１４が、いずれもそれらの奥から入口へ近づくほど狭くなる方向である。
すなわち、第１係止部５と中桟部２との上下間では、カーテン通し用の空間１２が［奥の内法寸法Ｍ１］＞［入口の内法寸法Ｍ２］の関係とされており、また第２係止部６と中桟部２との上下間では、カーテン通し用の空間１４が［奥の内法寸法Ｎ１］＞［入口の内法寸法Ｎ２］の関係とされている。
【００１６】
このような構成のカーテン絞り留め具１は、上部のカーテン通し用の空間１２から中桟部２を介して下部のカーテン通し用の空間１４へと束状に絞ったカーテン１０を通すようにして、第１係止部５と第２係止部６とを表裏の同じ側に揃え、中桟部２を表裏の反対側へ配するようにする。
すると、カーテン１０は、カーテン絞り留め具１の表裏面間を縫うようにして（蛇行状態になって）絡む状態となり、カーテン絞り留め具１にはカーテン１０に対して滑止め効果が生ずる。このとき、第１縦繋ぎ部３や第１係止部５、或いは第２縦繋ぎ部４や第２係止部６が適度な湾曲変形を起こし、それに対する弾力的な形状回復作用が生じることで、滑止め効果は益々強くなっている。従って、カーテン絞り留め具１がカーテン１０からずり落ちることはない。
【００１７】
また、抜止突起１３や１５により、上部の空間１２や下部の空間１４からの抜止作用も生じている。
そのため、洗濯を繰り返すなどしてカーテン生地が痩せたり腰が無くなったりしてきたとき、或いは風や人等が接触したときにも、本発明に係るカーテン絞り留め具１はカーテン１０からのずり落ちや抜け落ちが防止される。従って、束状に絞ったカーテン１０を窓の中央などに体裁よく配置させることも、確実に行えるようになる。
また、本発明に係るカーテン絞り留め具１はカーテン生地の厚薄によって装着が制限されることがないので、厚手のものはもとより、レース生地のような薄手のカーテン、自動車用カーテンなどにも採用可能である。
【００１８】
なお、本発明に係るカーテン絞り留め具１は、未使用時にはカーテンレール１７やカーテン１０における目立たない位置の上縁部などに引っ掛けておけばよく、窓枠などにタッセルフックが取り付けられている場合ではこのタッセルフックに引っ掛けておいてもよい。
図４は、本発明に係るカーテン絞り留め具１の第２実施形態を示している。この第２実施形態のカーテン絞り留め具１が上記した第１実施形態のものと最も異なるところは、第１係止部５の先端部や第２係止部６の先端部だけでなく、これらの先端部に対向する中桟部２の端部に対して、カーテン通し用の空間１２，１４の入口を狭める向きへ突出するように、抜止突起２０，２１が設けられている点にある。その他の構成は略同じである。
【００１９】
このような抜止突起２０，２１を設けることも、カーテン通し用の空間１２，１４へ通したカーテン１０が意に反して抜け出てしまうようなことを防止できる点で有益である。
図５は、本発明に係るカーテン絞り留め具１の第３実施形態を示している。この第３実施形態のカーテン絞り留め具１では、中桟部２の両端部から上方へ向けて第１縦繋ぎ部３Ａ，３Ｂが延出形成され、これら第１縦繋ぎ部３Ａ，３Ｂの上端部寄りが相互近接する方向へカーブした形状とされている。また同様に、中桟部２の両端部から下方へ向けて第２縦繋ぎ部４Ａ，４Ｂが延出形成され、これら第２縦繋ぎ部４Ａ，４Ｂの下端部寄りが相互近接する方向へカーブした形状とされている。
【００２０】
第１縦繋ぎ部３Ａ，３Ｂにおいて、上端部寄りで相互近接方向にカーブした部分は、中桟部２の上方に形成されるカーテン通し用の空間１２内に入り込むようになるため、これらはそれぞれ第１係止部５Ａ，５Ｂを形成したものとなっている。この場合、第１縦繋ぎ部３Ａと第１係止部５Ａとの境界部や、第１縦繋ぎ部３Ｂと第１係止部５Ｂとの境界部は、目に見える状態で明確に区別されるものではなく、作用的に判断される（カーテン１０が空間１２から抜け出さないように係合する作用を有するか否か）。
これと同様に、第２縦繋ぎ部４Ａ，４Ｂについても、下端部寄りで相互近接方向にカーブした部分が、中桟部２の上方に形成されるカーテン通し用の空間１４内に入り込むようになるため、これらがそれぞれ第２係止部６Ａ，６Ｂを形成したものとなっている。
【００２１】
このような第３実施形態のカーテン絞り止め具１では、その全体を正面視すればＨ字状を呈したものとなっている。その他の構成、使用方法、作用効果などは第１実施形態と程同様である。
図６は、本発明に係るカーテン絞り留め具１の第４実施形態を示している。この第４実施形態のカーテン絞り留め具１では、中桟部２が「＞」状に折曲された形状に形成されていると共に、この中桟部２における同じ側の端部（図６の左端）から上方及び下方へ向けてＵターン状に第１縦繋ぎ部３及び第２縦繋ぎ部４が延出形成され、第１縦繋ぎ部３に第１係止部５が、また第２縦繋ぎ部４に第２係止部６が、それぞれ形成されたものとなっている。
【００２２】
従って、この第４実施形態のカーテン絞り止め具１では、その全体を正面視すればΣ字状を呈したものとなっている。その他の構成、使用方法、作用効果などは第１実施形態と程同様である。
図７は、本発明に係るカーテン絞り留め具１の第５実施形態を示している。この第５実施形態のカーテン絞り留め具１では、中桟部２が一文字状に形成されている点を除いて、上記した第４実施形態（図６参照）と略同様である。なお、この中桟部２には、第１縦繋ぎ部３及び第２縦繋ぎ部４の形成された端部とは反対側の端部（抜止突起１３、１５の形成された方の端部）に、抜止突起２０，２１が形成されている。
【００２３】
従って、この第５実施形態のカーテン絞り止め具１では、その全体を正面視すればＥ字状を呈したものとなっている。その他の構成、使用方法、作用効果などは第１実施形態と程同様である。
ところで、本発明は、上記各実施形態に限定されるものではなく、実施の形態に応じて適宜変更可能である。
例えば、形成材料としては樹脂に限定されるものではなく、ある程度の弾力性を有し且つ重くなりすぎない範囲であれば、金属板や木材（竹等を含む）、紙（樹脂含浸紙など）を採用することもできる。金属板を採用する場合、多孔面や網面などを全面又は一部に採用することで強度を落とさずに軽量化させるといった工夫をすることも可能である。
【００２４】
正面視した形状は上記各実施形態で例示したもの以外にも適宜変更可能であり、色や柄、模様、文字、或いは透明乃至着色透明化などを施すことによって外観の向上を図ることも適宜実施可能である。また、表裏面方向で凹凸やカーブを設けることも可能である。
【図面の簡単な説明】
【００２５】
【図１】図２のＡ−Ａ線拡大断面図である。
【図２】第１実施形態のカーテン絞り留め具における使用状態を示す正面図である。
【図３】本発明に係るカーテン絞り留め具の第１実施形態を示した正面図である。
【図４】本発明に係るカーテン絞り留め具の第２実施形態を示した正面図である。
【図５】本発明に係るカーテン絞り留め具の第３実施形態を示した正面図である。
【図６】本発明に係るカーテン絞り留め具の第４実施形態を示した正面図である。
【図７】本発明に係るカーテン絞り留め具の第５実施形態を示した斜視図である。
【符号の説明】
【００２６】
１    カーテン絞り留め具
２    中桟部
３    第１縦繋ぎ部
４    第２縦繋ぎ部
５    第１係止部
６    第２係止部
１０    カーテン
１２    空間
１３    抜止突起
１４    空間
【図１】
2008302176.tif 000003
【図２】
2008302176.tif 000004
【図３】
2008302176.tif 000005
【図４】
2008302176.tif 000006
【図５】
2008302176.tif 000007
【図６】
2008302176.tif 000008
【図７】
2008302176.tif 000009